(57)【要約】【課題】  地震などによる振動騒音を吸収し、設置した家具の安定度を向上させる防振防音アジャスターを提供することを目的とする。【解決手段】  螺子部２ａと非螺子部２ｂとの境界上に円環状凸部２ｃを有する特殊ボルト２の該凸部をインサート成形により埋設し半中空円筒形状に成形してなる本体１と、硬質プラスチックを円環状に成形してなるベース部３との組み合わせであって、両者間に円環状に成形されたリング状ゴム４及びワッシャ５を介在させ、ベース部３の中心に有する円孔３ａに特殊ボルト２の非螺子部２ｂを通しその端部をかしめることで両者が掛合されることを特長とする。またベース部３下方にも接地ゴム６を設け更なる安定度の向上を図る。【選択図】  図１
2005087671.tif 000002
【特許請求の範囲】
【請求項１】
家具下端に螺着して取り付け可能であるとともに、ボルトの螺進退により高さ調整が可能な防振防音アジャスターであって、
螺子部と非螺子部との境界線上に円環状の凸部を設けてなるボルト（以下特殊ボルト）の凸部を硬質プラスチックにより埋設しそこを中心とした半中空円筒形状に成形してなり上方向に螺軸が、下方向に非螺子部が突出した構造になっていることを特長とする本体と、硬質プラスチックを円環状に成形してなるベース部との組み合わせであってベース部円孔に前記本体ボルトの非螺子部を通しその端部をかしめることで両者が掛合され、本体がベース部を案内とし上下方向にスライドする構造となっていることを特長とする防振防音アジャスター。
【請求項２】
前記本体とベース部との間に円環状に成形されたリング状ゴム及びワッシャを介在させることを特長とする請求項１に記載の防振防音アジャスター。
【請求項３】
前記ベース部の下方に床面に接する接地ゴムを設けることを特長とする請求項１及び２に記載の防振防音アジャスター。
【発明の詳細な説明】
【発明の詳細な説明】
【産業上の利用分野】
【０００１】  本発明は家具等の下端に取り付け、高さを調整するとともに滑り止め及び床面に引っ掻き傷を付けないようにすることを目的とするアジャスターに関するものである。
【発明が解決しようとする課題】
【０００２】  従来のアジャスターは図８に示されるようにボルト９をインサート成形により埋設してなり、家具脚部Ｔの下端に螺着されるものである。またボルト９と螺孔部１０との螺合調整によって家具Ｔの高さを調整することが可能である。
【０００３】  しかし従来のアジャスターでは外力を吸収する要素が無く、地震などに見舞われた場合振動の影響を直に受け家具上に載置した物が床に落下したりすることがあり危険であったり、またガタツキによる振動騒音なども発生したりしていた。
【０００４】  本発明は以上のような点を鑑み発明したものであり、地震などによる振動騒音をゴム部品により吸収し、設置した家具の安定度を向上させる防振防音アジャスターを提供することを目的とする。
【課題を解決するための手段】
【０００５】  上記目的を達成させるために、本発明の防振防音アジャスターは、
螺子部と非螺子部との境界線上に円環状の凸部を設けてなる特殊ボルトの凸部を硬質プラスチックにより埋設しそこを中心とした半中空円筒形状に成形してなり上方向に螺軸が、下方向に非螺子部が突出した構造になっていることを特長とする本体と、硬質プラスチックを円環状に成形してなるベース部との組み合わせであって、両者間に円環状に成形されたリング状ゴム及びワッシャを介在させ、ベース部円孔にボルトの非螺子部を通しその端部をかしめることで掛合され本体がベース部を案内とし上下方向にスライドする構造になっていることを特長とする。
【０００６】  前記本体とベース部との間に介在させる特殊ゴムは地震などによる外力を吸収し、振動騒音の発生を防止する役目を果たす。またワッシャについては高さ調整に際し本体を回動させ易くするためのものである。
【０００７】  また前記ベース部の下方には円環状に成形された接地ゴムを設ける。この接地ゴムは床面に接地されるため、内臓されるリング状ゴムと同様に振動騒音の発生を防止するとともに滑り止めと床面に引っ掻き傷を付けないようにする役目を果たす。
【作用】
【０００８】  この防振防音アジャスターを例えばテーブルの下端に装着すれば、本体の回動によって高さを微調整できる。また滑り止めの役目と床面に引っ掻き傷を付けないようにする役目を果たす。
【実施例】
【０００９】  本発明の防振防音アジャスターの実施形態について図面を参照しながら説明する。本発明の防振防音アジャスターは図１に示すように、
螺子部２ａと非螺子部２ｂとの境界上の周囲に円環状凸部２ｃを有する特殊ボルト２の凸部２ｃをインサート成形により埋設しそこを中心とした半中空円筒形状に成形して上方向に螺子部２ａが、下方向に非螺子部２ｂが突出してなる本体１（図２参照）と、硬質プラスチックを円環状に成形してなるベース部３（図３参照）との組み合わせであって、ベース部３の円孔３ａに前記特殊ボルト２の非螺子部２ｂを通しその端部をかしめることで掛合され本体１がベース部３を案内とし上下方向にスライドすることを特長とする。【００１０】  また前記本体１とベース部３との間には円環状に成形されたリング状ゴム４（図４参照）及びワッシャ５（図５参照）を前記特殊ボルト２の非螺子部２ｂに挿通して介在させる。このリング状ゴム４は地震などの外力を吸収する役目を果たす。またワッシャ５は高さ調整に際し回動作業をスムーズにするためのものである。【００１１】  更に前記ベース部３の円周には複数の小円孔３ｂ（図３参照）が設けられておりそれぞれの小円孔３ｂに、円環状に成形され複数の凸部６ａを有する接地ゴム６（図６参照）の該凸部を嵌合せしめる。この接地ゴム６は内蔵するリング状ゴムと同様に外力を吸収するとともに滑り止めと床面に引っ掻き傷を付けないようにする役目を果たす。【００１２】  従って本発明の防振防音アジャスターを、図７に示すように家具脚部に装着すれば本体１における把持部１ｂを握持し回動させることで高さの微調整が可能となる。
【発明の効果】
【００１３】  以上説明してきたように、本発明の防振防音アジャスターによれば、内臓するリング状ゴム及び下端に設けられた接地ゴムが地震などによる外力を吸収することで振動騒音の発生が防止され、家具の安定度を向上させることが可能である。
【図面の簡単な説明】
【００１４】
【図１】  本発明の実施例に係る防振防音アジャスターの一部切欠き縦断面図である。
【図２】  本発明の実施例に係る本体の一部切欠き縦断面図である。
【図３】  本発明の実施例に係るベース部の一部切欠き縦断面図である。
【図４】  本発明の実施例に係るリング状ゴムの一部切欠き縦断面図である。
【図５】  本発明の実施例に係るワッシャの一部切欠き縦断面図である。
【図６】  本発明の実施例に係る接地ゴムの一部切欠き縦断面図である。
【図７】  本発明の防振防音アジャスターを家具脚部に取り付けた状態を示す一部切欠き縦断面図である。
【図８】  従来のアジャスターを家具脚部に取り付けた状態を示す縦断面図である。
【符号の説明】
【００１５】１  ・・・本体
１ａ・・・円孔
１ｂ・・・把持部
２  ・・・特殊ボルト
２ａ・・・螺子部
２ｂ・・・非螺子部
２ｃ・・・円環状凸部
３  ・・・ベース部
３ａ・・・円孔
３ｂ・・・小円孔
４  ・・・リング状ゴム
５  ・・・ワッシャ
６  ・・・接地ゴ厶
６ａ・・・凸部
８  ・・・従来のアジャスター
９  ・・・ボルト
１０・・・螺孔部
Ｔ  ・・・家具脚部
Ｆ  ・・・床面
【図１】
2005087671.tif 000003
【図２】
2005087671.tif 000004
【図３】
2005087671.tif 000005
【図４】
2005087671.tif 000006
【図５】
2005087671.tif 000007
【図６】
2005087671.tif 000008
【図７】
2005087671.tif 000009
【図８】
2005087671.tif 000010